(57)【要約】【課題】  透光性棚板をブラケットを介して支持体に確実に固着すると共に、ブラケットを見え難くして見栄えを向上させた透光性棚板の取付構造を提供する。【解決手段】  透光性を有する棚板５を支持体７に取り付けるため透光性棚板５の取付構造において、透光性棚板５の左右幅とほぼ等しい左右幅を有する載置板９を、支持体７に取り付けられ、その先端部が透光性棚板の前端部より後退した位置にあるブラケット８上に固着し、この載置板９によって透光性棚板５の下面を支持させ、載置板９とほぼ等しい左右幅を有する挟持板１０を、透光性棚板５の上面に当接させ、螺合部材１１によって透光性棚板５を、挟持板１０と載置板９との間に挟持させる。【選択図】  図３
2006346084.tif 000002
【特許請求の範囲】
【請求項１】
透光性を有する棚板を支持体に取り付けるため透光性棚板の取付構造において、前記透光性棚板の左右幅とほぼ等しい左右幅を有する載置板を、前記支持体に取り付けられ、その先端部が透光性棚板の前端部より後退した位置にあるブラケット上に固着し、該載置板によって前記透光性棚板の下面を支持させ、前記載置板とほぼ等しい左右幅を有する挟持板を、前記透光性棚板の上面に当接させ、螺合部材によって前記透光性棚板を、前記挟持板と前記載置板との間に挟持させることを特徴とする透光性棚板の取付構造。
【請求項２】
前記ブラケットは支持体に対して左右一対設けられている請求項１に記載の透光性棚板の取付構造。
【請求項３】
前記載置板が、側面視で後端部が上方に屈曲された略Ｌ字形状を成すとともに、前記挟持板が、側面視で後端部が下方に屈曲された略Ｌ字形状を成し、前記載置板と前記挟持板との後端部同士を互いに前後に重ねて当接させた請求項１または２に記載の透光性棚板の取付構造。
【請求項４】
前記載置板の前後幅が、前記ブラケットの前後幅よりも大きい請求項１ないし３のいずれかに記載の透光性棚板の取付構造。
【請求項５】
前記挟持板の前後幅が、前記ブラケットの前後長さよりも短い請求項１ないし４のいずれかに記載の透光性棚板の取付構造。
【請求項６】
前記透光性棚板の少なくとも前端縁がラウンド状に形成された請求項１ないし５のいずれかに記載の透光性棚板の取付構造。
【発明の詳細な説明】
【技術分野】
【０００１】
本発明は、ガラスやアクリル樹脂等で形成される透光性を有する棚板を、支柱やパネル等の支持体に取り付けるための取付構造に関する。
【背景技術】
【０００２】
従来、店舗等に設置される什器類の棚板には、棚板の美観を向上させるとともに、複数段配置される棚板上に載置される商品等が見やすくなるように、ガラスやアクリル樹脂を用いて透光性を有する棚板を形成し、什器に取り付けるようにしたものがある。このような棚板の取付構造には、ガラス板よりなる棚板の後端縁の略全長を、断面視コ字形状の落下防止具に係合させ、この落下防止具を介してガラス板を、柱体に取り付けられたブラケットに取り付けるとともに、ガラス板の前端縁は、ブラケットの先端に設けられた突起に係合させるようにしている（例えば、特許文献１参照）。
【０００３】
また、閉ループ状の枠体の外側両隅部の内面に形成した受片を、ブラケットの先端部に載置して固定し、この枠体により、ガラス製のラウンド棚の周縁全体を支持させるようにしているものもある（例えば、特許文献２参照）。
【０００４】
【特許文献１】実開昭６３−１５８６０号公報（第３頁、第１図）
【特許文献２】特許第２９２９０９１号公報（第２頁、第１図）
【発明の開示】
【発明が解決しようとする課題】
【０００５】
しかしながら、特許文献１にあっては、ガラス板（透光性棚板）の前端縁を、柱体（支持体）に取り付けられるブラケットの先端の突起に係合させるために、ブラケットの前後方向の長さを棚板の前後方向の長さよりも長く形成する必要があり、透明なガラス板を通してその下面に配置されるブラケットが露呈されてしまうので、棚板の見栄えが悪くなる。
【０００６】
また、特許文献２にあっても、支柱（支持体）に取り付けられたブラケットの先端部が枠体の外側両隅部まで延設されるので、ガラス製のラウンド棚（透光性棚板）の下面に配置されるブラケットが露呈されるとともに、ラウンド棚の周縁全体に閉ループ状の枠体が配置されるので、棚板の見栄えが悪くなる。
【０００７】
本発明は、このような問題点に着目してなされたもので、透光性棚板をブラケットを介して支持体に確実に固着すると共に、ブラケットを見え難くして見栄えを向上させた透光性棚板の取付構造を提供することを目的とする。
【課題を解決するための手段】
【０００８】
前記課題を解決するために、本発明の請求項１に記載の透光性棚板の取付構造は、
透光性を有する棚板を支持体に取り付けるため透光性棚板の取付構造において、前記透光性棚板の左右幅とほぼ等しい左右幅を有する載置板を、前記支持体に取り付けられ、その先端部が透光性棚板の前端部より後退した位置にあるブラケット上に固着し、該載置板によって前記透光性棚板の下面を支持させ、前記載置板とほぼ等しい左右幅を有する挟持板を、前記透光性棚板の上面に当接させ、螺合部材によって前記透光性棚板を、前記挟持板と前記載置板との間に挟持させることを特徴としている。
この特徴によれば、載置板をブラケット上に固着した上で、螺合部材によって透光性棚板を、透光性棚板の左右幅とほぼ等しい左右幅を有する挟持板と前記載置板との間に挟持させたので、ブラケットの先端部が透光性棚板の前端部より後退した位置にあっても、充分な強度をもって透光性棚板をブラケット上に支持させることができる。しかもブラケットの上面側には載置板が配置されているので、ブラケットが見え難くなり見栄えも向上する。
【０００９】
本発明の請求項２に記載の透光性棚板の取付構造は、請求項１に記載の透光性棚板の取付構造であって、
前記ブラケットは支持体に対して左右一対設けられていることを特徴としている。
この特徴によれば、透光性棚板を左右一対のブラケットにより支えることができるので、透光性棚板の支持がより安定する。
【００１０】
本発明の請求項３に記載の透光性棚板の取付構造は、請求項１または２に記載の透光性棚板の取付構造であって、
前記載置板が、側面視で後端部が上方に屈曲された略Ｌ字形状を成すとともに、前記挟持板が、側面視で後端部が下方に屈曲された略Ｌ字形状を成し、前記載置板と前記挟持板との後端部同士を互いに前後に重ねて当接させたことを特徴としている。
この特徴によれば、載置板と挟持板のそれぞれの後端部が屈曲されて略L字形状を成し、その後端部同士が前後に重ねられることで、取付作業の際に、透光性棚板の後端部を重ねられた載置板と挟持板の後端部に当接できるので、透光性棚板の位置決めがし易くなるばかりでなく、ブラケットの根本部を完全に覆い隠すことができ、見栄えが一層向上する。
【００１１】
本発明の請求項４に記載の透光性棚板の取付構造は、請求項１ないし３のいずれかに記載の透光性棚板の取付構造であって、
前記載置板の前後幅が、前記ブラケットの前後幅よりも大きいことを特徴としている。
この特徴によれば、ブラケットが載置板よりも前方に突出されず、透光性棚板を上方から見たときにブラケットを載置板によって全部隠蔽させることができる。
【００１２】
本発明の請求項５に記載の透光性棚板の取付構造は、請求項１ないし４のいずれかに記載の透光性棚板の取付構造であって、
前記挟持板の前後幅が、前記ブラケットの前後長さよりも短いことを特徴としている。
この特徴によれば、挟持板の前後長さがブラケットの前後幅よりも小さいので、透光性棚板上において挟持板が占有する面積を極力狭くして透光性棚板上の平坦な面を広く確保することができる。
【００１３】
本発明の請求項６に記載の透光性棚板の取付構造は、請求項１ないし５のいずれかに記載の透光性棚板の取付構造であって、
前記透光性棚板の少なくとも前端縁がラウンド状に形成されたことを特徴としている。
この特徴によれば、前述の如くブラケットが透光性棚板の前端部に向かって長く延びていなくても充分な強度をもって透光性棚板をブラケット上に支持させることができるので、透光性棚板の前端縁の形状をラウンド状に形成することも可能であり、透光性棚板の形状の選択幅を広げることができる。
【発明を実施するための最良の形態】
【００１４】
本発明に係る透光性棚板の取付構造を実施するための最良の形態を実施例に基づいて以下に説明する。
【実施例１】
【００１５】
本発明の実施例を図面に基づいて説明すると、先ず図１は、実施例１における透光性棚板の取付構造が適用された什器を示す斜視図であり、図２は、透光性棚板を示す平面図であり、図３は、図２における透光性棚板を示すＡ−Ａ縦断側面図であり、図３（ａ）は、透光性棚板を取り付けるときの図であり、図３（ｂ）は、透光性棚板を取り付けた状態を示す図である。以下、図２の下方側を透光性棚板の正面側（前方側）、図３では、右方側を透光性棚板の正面側（前方側）として説明する。
【００１６】
図１の符号１は、化粧品等を販売する店舗内に設置される商品陳列用の什器であり、この什器１には、垂直に立設される２つの支持パネル２（支持体）を有しており、これら支持パネル２同士は垂設板３によって連結されている。什器１の左右の側方側には、商品などの載置物を載置しておくための複数段の棚板４が取り付けられている。
【００１７】
更に図１に示すように、正面側の支持パネル２には、ガラス等の透光性を有する材質で構成された複数段の透光性棚板５が取り付けられており、この透光性棚板５は平面視で半円形状を成している。この透光性棚板５の下方には、平面視で透光性棚板５とほぼ同じ半円形状を成す台部６が設けられている。
【００１８】
また図１に示す什器１の側方側に配置される棚板４には、販売用の商品を陳列し、透光性棚板５や台部６上には、広告宣伝等に用いられる試供品等が陳列されるようになっている。尚、透光性を有するガラス等の材質を用いて透光性棚板５を形成することで、複数段の透光性棚板５を配置した際に、透光性棚板５の下方側に光を通過させ易くなり、透光性棚板５の下方に陳列される商品等の載置物を照らすことができるようになっている。
【００１９】
更に透光性棚板５について詳述すると、図２に示すように、平面視で半円形状を成す透光性棚板５は、直線状の後端縁が支持パネル２に当接されるとともに、ラウンドされている前端縁が前方側を向くようになっている。尚、支持パネル２には、本実施例における支持体としての左右一対を成す凹状の係止部７が設けられており、この係止部７は支持パネル２に上下方向に複数配列されている（図１参照）。
【００２０】
図２及び図３（ａ）に示すように、金属製のブラケット８には、鍵状の係止片８ａが形成されており、支持パネル２の係止部７には、ブラケット８の係止片８ａが着脱可能に係止されるようになっている。尚、このブラケット８を介して透光性棚板５が支持パネル２に着脱自在に固設されている。
【００２１】
更にブラケット８には、左右方向の幅が透光性棚板５の後端縁の左右幅Ｔとほぼ等しい左右幅Ｓを有する金属製の載置板９が溶接によって固着され、１つの載置板９には、左右一対を成す２つのブラケット８が固着されるようになっている。載置板９には、その後端縁が上方に屈曲されて側面視で略Ｌ字形状を成した立設片９ａが形成されている。
【００２２】
更に、透光性棚板５の後端部の上面には、左右方向の幅が載置板９の左右幅Ｓとほぼ等しい左右幅を有する挟持板１０が当接されるようになっている。挟持板１０には、その後端縁が下方に屈曲されて側面視で略Ｌ字形状を成した垂下片１０ａが形成されている。
【００２３】
挟持板１０と透光性棚板５と載置板９には、左右と中央部の３箇所にネジ１１等の螺合部材が挿設される貫通孔１０ｂ，５ｂ，９ｂが形成されており、後述するように、この貫通孔１０ｂ，５ｂ，９ｂにネジ１１が螺合されて締め付けられることで、透光性棚板５が、挟持板１０と載置板９とに上下方向から強固に挟持されるようになっている。
【００２４】
図３（ｂ）に示すように、透光性棚板５の取付作業の際には、載置板９の上面に、透光性棚板５の後端部の下面を当接させて支持させ、透光性棚板５の後端部の上面に挟持板１０を当接させる。載置板９に透光性棚板５を載置する際に、透光性棚板５の後端縁を載置板９の立設片９ａに前方から当接させることで、載置板９の貫通孔９ｂの位置と、透光性棚板５の貫通孔５ｂの位置が一致するようになっている。
【００２５】
更に、挟持板１０の後端縁を載置板９の立設片９ａに後方から当接させることで、透光性棚板５と載置板９の貫通孔５ｂ，９ｂの位置と、挟持板１０の貫通孔１０ｂの位置が一致するようになっている。このように載置板９の立設片９ａと挟持板１０の垂下片１０ａを互いに前後に重ねて当接させ、且つ透光性棚板５の後端縁を当接させることで、透光性棚板５の取付作業の際に、載置板９と挟持板１０と透光性棚板５に形成された貫通孔５ｂ，９ｂ，１０ｂの位置決めがし易くなっている。
【００２６】
図３（ｂ）に示すように、載置板９の前後幅Ｘは、ブラケット８の前後幅Ｙよりも大きくなるように形成されている。そのためブラケット８の先端が載置板９の前端縁よりも前方に突出されず、透光性棚板５を上方から見たときにブラケット８を載置板９によって全部隠蔽させることができ、透光性棚板５の見栄えを向上させることができる。
【００２７】
尚、ブラケット８は、載置板９によって完全に隠蔽する必要はなく、ブラケット８の先端が多少載置板９から前方に突出された状態であってもよく、ブラケット８の全長が透光性棚板５の上方から見え難くなれば、透光性棚板５の見栄えを向上させることができる。
【００２８】
また図３（ｂ）に示すように、載置板９の前後幅Ｘは、挟持板１０の前後幅Ｚよりも大きくなるように形成されており、載置板９が透光性棚板５に加わる重量を支える強度を保ちつつ、挟持板１０の前後幅Ｚが載置板９の前後幅Ｘよりも小さく、好ましくはブラケット８の全後長さよりも短くさせることができる。そのため透光性棚板５の上面において挟持板１０が占有してしまう面積を狭くすることができるので、透光性棚板５上の平坦な面を広く確保できる。
【００２９】
透光性棚板５は、その後端縁が挟持板１０と載置板９に挟持された状態でブラケット８に取り付けられているとともに、ブラケット８は支持パネル２に上下方向に複数設けられた左右一対の係止部７に対して着脱可能となっているので、透光性棚板５を支持パネル２の任意の高さ位置に取り付けられるようになっている。
【００３０】
尚、ブラケット８は載置板９の左右に２つ配置されており、このブラケット８が溶着された載置板９に透光性棚板５の後端縁を支持させ、上方から挟持板１０を当接させて透光性棚板５の後端縁を挟持させたので、支持パネル２に取り付けられるブラケット８に透光性棚板５の後端縁を強固に固着できる。そして透光性棚板５上に載置された載置物の重さは、載置板９を通じて左右のブラケット８に分散して加わるようになっている。
【００３１】
また、透光性棚板５の前端縁には、ブラケット８に固着させるための部材等が必要なくなるので、透光性棚板５の前端縁の形状をラウンド状に形成できるようになり、透光性棚板５の見栄えを向上させることができる。尚、透光性棚板５の前端縁は、ラウンド状以外にも様々なデザインに形成できるので、透光性棚板の形状の選択幅を広げて意匠性の向上を図ることも可能である。
【００３２】
尚、本発明の透光性棚板５の取付構造によれば、ガラス等の硬脆材料で構成された透光性棚板５の後端縁を、載置板９と挟持板１０で上下方向から挟持することで、支持パネル２に取り付られるブラケット８に固着させることができるので、透光性棚板５がぐらつくことなく固定でき、透光性棚板５の破損等が防止される。
【実施例２】
【００３３】
次に、実施例２に係る透光性棚板の取付構造につき、図４及び図５を参照して説明する。尚、前記実施例と同一構成で重複する構成を省略する。図４は、実施例２における透光性棚板を示す平面図であり、図５は、図４における透光性棚板を示すＢ−Ｂ縦断側面図である。以下、図４の下方側を透光性棚板の正面側（前方側）、図５では、右方側を透光性棚板の正面側（前方側）として説明する。
【００３４】
図４に示すように、実施例２における透光性棚板１２は、平面視で略矩形状を成し、その前端縁がラウンド状に形成されている。支持パネル１３には、本実施例における支持体としての係止部１４が設けられており、支持パネル１３に設けられた左右各々の係止部１４には、ブラケット１５が取り付けられるようになっている。尚、ブラケット１５には、載置板１６が固着され、１つのブラケット１５には１つの載置板１６がその中央部で固着されている。
【００３５】
図５に示すように、透光性棚板１２は載置板１６に載置され、透光性棚板１２の上面には、載置板１６の前後方向の幅よりも小さい前後幅を有し、且つ載置板１６と同じ左右幅を有する挟持板１７が当接されている。透光性棚板１２と載置板１６と挟持板１７には、ネジ１８等の螺合部材が挿設される貫通孔１２ｂ，１６ｂ，１７ｂが形成されている。
【００３６】
尚、載置板１６には左右端部に２つの貫通孔１６ｂが形成されるとともに、挟持板１７にも左右端部に２つの貫通孔１７ｂが形成されている。透光性棚板１２には、載置板１６と挟持板１７に形成された貫通孔１６ｂ，１７ｂに対応する位置に４つの貫通孔１２ｂが形成されている。
【００３７】
図４に示すように、左側に配置される載置板１６の左端から右側に配置される載置板１６の右端まで幅Ｓ’（２つ載置板１６を合わせた状態の左右幅）と、透光性棚板１２の後端縁の左右幅Ｔ’は、ほぼ等しくなっている。そのため透光性棚板１２の後端縁の左右方向の略全長が、載置板１６と挟持板１７とに挟持され、強固に固着されるようになっている。
【００３８】
図５に示すように、載置板１６と透光性棚板１２と挟持板１７の後端部は、支持パネル１３の係止部１４から若干離間されて配置されており、係止部１４から載置板１６の先端までの距離Ｘ’は、係止部１４からブラケット１５の先端までの距離Ｙ’よりも長くなるように配置されている。そのためブラケット１５の先端が載置板１６の前端縁よりも前方に突出されず、透光性棚板１２を上方から見たときに、ブラケット１５が載置板１６によって隠蔽されるので、透光性棚板１２の見栄えを向上させることができる。
【００３９】
図５に示すように、係止部１４から載置板１６の先端までの距離Ｘ’は、係止部１４から挟持板１７の先端までの距離Ｚ’よりも長くなるように配置されている。そのため透光性棚板１２の上面において挟持板１７が占有してしまう面積を狭くすることができるので、透光性棚板１２上の平坦な面を広く確保できる。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
前記実施例では、本発明の透光性棚板５の取付構造が、化粧品の販売店舗に設置される商品陳列用の什器１に適用されていたが、本発明はこれに限定されるものではなく、一般家庭で使用される箪笥や本棚等の什器類に透光性棚板を取り付けるときに適用してもよい。
【００４２】
また、前記実施例では、ブラケット８が載置板９の左右に２つ配置されていたが、本発明はこれに限定されるものではなく、左右のブラケット以外にも載置板の中央部にブラケットを設けて３つのブラケットで載置板を支持してもよいし、それ以上の数のブラケットを用いて載置板を支持するようにしてもよい。更に透光性棚板に掛かる負荷が小さければ、載置板の中央部のみにブラケットを設けるようにしたものであっても良い。
【００４３】
更に、前記実施例では、透光性棚板５を形成する材質として、ガラスが用いられていたが、本発明はこれに限定されるものではなく、アクリル樹脂やその他の透光性を有する材質を用いて透光性棚板を形成してもよい。
【図面の簡単な説明】
【００４４】
【図１】実施例１における透光性棚板の取付構造が適用された什器を示す斜視図である。
【図２】透光性棚板を示す平面図である。
【図３】図２における透光性棚板を示すＡ−Ａ縦断側面図であり、（ａ）は、透光性棚板を取り付けるときの図であり、（ｂ）は、透光性棚板を取り付けた状態を示す図である。
【図４】実施例２における透光性棚板を示す平面図である。
【図５】図４における透光性棚板を示すＢ−Ｂ縦断側面図である。
【符号の説明】
【００４５】
１                什器
２                支持パネル（支持体）
３                垂設板
４                棚板
５                透光性棚板
５ｂ              貫通孔
６                台部
７                係止部（支持体）
８                ブラケット
８ａ              係止片
９                載置板
９ａ              立設片
９ｂ              貫通孔
１０              挟持板
１０ａ            垂下片
１０ｂ            貫通孔
１１              ネジ（螺合部材）
１２              透光性棚板
１２ｂ            貫通孔
１３              支持パネル（支持体）
１４              係止部（支持体）
１５              ブラケット
１６              載置板
１６ｂ            貫通孔
１７              挟持板
１７ｂ            貫通孔
１８              ネジ（螺合部材）
【図１】
2006346084.tif 000003
【図２】
2006346084.tif 000004
【図３】
2006346084.tif 000005
【図４】
2006346084.tif 000006
【図５】
2006346084.tif 000007